(57)【要約】      （修正有）【課題】現像剤を適切な帯電量に帯電でき、カブリ発生を抑制し、良好な現像を行う現像装置とこの現像装置搭載の高画質画像形成可能な画像形成装置を提供。【解決手段】感光体１００上に静電潜像をトナーｔを用いて現像する現像装置３００と現像装置搭載の画像形成装置Ｐ１。現像装置３００は現像ローラ３０１と、現像ローラ周面上のトナーｔに接触荷電する荷電部材３０６と、現像ローラ３０１に交流現像バイアス電圧Ｖ１を印加する現像バイアス印加装置Ｂ１と、荷電部材３０６に交流現像バイアス電圧Ｖ１と位相同期の交流荷電バイアス電圧で、＋側／ー側の内、片側位相にオフセット電位差Ｖｄを設けた交流荷電バイアス電圧Ｖ２（Ｖ２’）を印加する荷電バイアス印加装置Ｂ２と、装置Ｂ２の制御部ＣＴとを備える。制御部ＣＴは、トナー帯電性を左右する要因の内、一つに応じ装置Ｂ２を制御してオフセット電位差Ｖｄを、トナーが正規帯電量に帯電する様に制御。【選択図】図３
2006301420.tif 000002
【特許請求の範囲】
【請求項１】
像担持体上に形成される静電潜像を現像剤を用いて現像する現像装置であり、
周面上に現像剤を担持して、前記像担持体上の静電潜像を現像する現像領域へ搬送する現像ローラと、
前記現像ローラ周面上に担持され、前記現像領域へ搬送される現像剤に接触して該現像剤に荷電するための荷電部材と、
前記現像ローラに交流現像バイアス電圧を印加する現像バイアス印加装置と、
前記荷電部材に、前記交流現像バイアス電圧と位相が同期する交流荷電バイアス電圧であって、プラス側及びマイナス側のうち少なくとも片側の位相に前記交流現像バイアス電圧に対しオフセット電位差を設けた交流荷電バイアス電圧を印加する荷電バイアス印加装置と、
前記荷電バイアス印加装置を制御する制御部とを備えており、
前記制御部は、前記現像領域へ搬送される現像剤の帯電性を左右する要因のうち少なくとも一つに応じて、前記荷電バイアス印加装置を制御することで前記オフセット電位差を、該現像剤が静電潜像現像のための正規帯電量に帯電するように制御することを特徴とする現像装置。
【請求項２】
前記交流現像バイアス電圧及び前記交流荷電バイアス電圧のそれぞれは、矩形波電圧である請求項１記載の現像装置。
【請求項３】
前記制御部は、環境条件、現像装置駆動積算時間、現像回数及び平均印字面積率のうち少なくとも一つに応じて、前記荷電バイアス印加装置を制御することで前記オフセット電位差を制御する請求項１又は２記載の現像装置。
【請求項４】
前記制御部は、前記交流現像バイアス電圧のデューティー比に基づいて前記荷電バイアス印加装置を制御することで前記オフセット電位差を制御する請求項１、２又は３記載の現像装置。
【請求項５】
消費される現像剤量に応じて現像剤を補給する現像剤補給装置を備えており、前記制御部は、該現像剤補給装置による現像剤補給から予め定めた時間が経過するまでの間、該時間外に比べて前記オフセット電位差を大きく設定する請求項１から４のいずれかに記載の現像装置。
【請求項６】
前記制御部は、前記予め定めた時間として、前記現像剤補給時の環境条件、前記現像剤補給時の現像装置駆動積算時間、前記現像剤補給終了後の現像装置駆動積算時間、前記現像剤補給時の現像回数、前記現像剤補給終了後の現像回数、前記現像剤補給時の平均印字面積率及び前記現像剤補給終了後の平均印字面積率のうち少なくとも一つに基づいて決定した時間を採用する請求項５記載の現像装置。
【請求項７】
前記制御部は、前記オフセット電位差を、前記現像剤補給時における前記交流現像バイアス電圧に応じて制御する請求項５又は６記載の現像装置。
【請求項８】
前記現像バイアス印加装置は、前記現像ローラへ前記交流現像バイアス電圧を印加する現像バイアス電源を含んでおり、
前記荷電バイアス印加装置は、抵抗素子、ダイオード及び出力電圧可変の荷電用直流電源を含んでおり、該抗素子、ダイオード及び出力電圧可変の荷電用直流電源は、この順序で、前記現像バイアス電源の出力端に直列接続されており、
前記制御部は、該荷電用直流電源の出力電圧を制御することで、前記オフセット電位差を制御する請求項１から７のいずれかに記載の現像装置。
【請求項９】
前記現像ローラは前記現像バイアス電源の出力端に接続されており、前記荷電部材は前記抵抗素子と前記ダイオードとの間に接続されている請求項８記載の現像装置。
【請求項１０】
前記現像バイアス電源の出力端と前記抵抗素子との間にツェナダイオードが挿入接続されている請求項９記載の現像装置。
【請求項１１】
前記現像バイアス電源の出力端に、ツエナダイオード及び第２の抵抗素子がこの順序で直列接続されており、前記現像ローラは該ツエナダイオードと該第２の抵抗素子との間に接続され、前記荷電部材は、前記荷電用直流電源とともに前記現像バイアス電源の出力端に直列接続された前記抵抗素子と前記ダイオードとの間に接続されている請求項８記載の現像装置。
【請求項１２】
請求項１から１１のいずれかに記載の現像装置を備えた画像形成装置。
【発明の詳細な説明】
【技術分野】
【０００１】
本発明は、像担持体上に形成される静電潜像を現像剤を用いて現像して画像形成する、複写機、プリンタ等の画像形成装置及び該画像形成装置に搭載する現像装置に関する。
【背景技術】
【０００２】
今日、像担持体上に形成される静電潜像を現像剤を用いて現像して画像形成する、複写機、プリンタ等の画像形成装置は広く普及しており、カラー画像形成装置も急速に普及してきている。そのような現状において、ユーザの画質及び画像形成コストに関する意識は高まる一方である。
【０００３】
画質の点について言えば、画像ノイズが無い、或いはあったとしても、できるだけ少ない画像が望まれている。画像ノイズの一つとして、いわゆる「カブリ」を挙げることができる。「カブリ」現象は、主として、画像形成に用いられる現像剤の劣化により現像剤帯電量が低下することで発生する。
【０００４】
かかる現像剤劣化による現像剤帯電量低下は、カブリによる画質劣化だけでなく、カブリが発生する分、現像剤消費量が多くなるので、それだけユーザのコスト負担を大きくする。
【０００５】
像担持体上の静電潜像を現像する現像装置は、用いる現像剤の種類によって、トナーとキャリアを主体とする、いわゆる二成分現像剤を採用するもの（二成分現像装置）と、キャリアを含まず、トナーを主体とする、いわゆる一成分現像剤を採用するもの（一成分現像装置）に大別される。
【０００６】
いずれのタイプの現像装置でも、一般的には、現像剤を周面上に担持して現像領域へ搬送する現像ローラが採用される。静電潜像の現像にあたっては、現像ローラ上の現像剤を静電潜像へ円滑に移行させるために、現像ローラに現像バイアス電圧が印加されるのが一般的である。かかる現像バイアス電圧としては、現像ローラへの現像剤の離れがたい付着を抑制して高画質の画像を得るために、交流現像バイアス電圧〔例えば直流電圧と交流電圧とを併用した（代表的には、直流電圧に交流電圧を重畳した）交流現像バイアス電圧〕が採用されることが多い。
【０００７】
トナーを主体とする現像剤を用いる現像装置（一成分現像装置）では、一般的には、静電潜像の現像に要求される現像剤帯電量を得るために、現像ローラ上に担持されて現像領域へ搬送される現像剤に荷電部材が当接され、該荷電部材による摩擦帯電が行われる。該荷電部材は、通常、現像領域へ搬送される現像剤の量を規制して薄層にする現像剤規制部材を兼ねている。
【０００８】
しかし、画像形成を繰り返すうちに現像剤劣化が生じてくると、摩擦帯電によるだけでは現像剤帯電不良が発生する。そのため、前記規制部材を兼ねる現像剤荷電部材と現像ローラとの間、或いは該規制部材を兼ねる現像剤荷電部材とは別個に設けた現像剤荷電部材と現像ローラとの間に電位差を設定することで、現像剤を電気的に帯電させることも行われている。
【０００９】
かかる現像剤荷電部材と現像ローラ間の電位差は、現像ローラや現像剤荷電部材への、現像剤の離れ難い付着を抑制するために、交流荷電バイアス電圧の印加により発生させることが好ましい。
この点、特開２００１−１０９２４３号公報は、
(1) 現像ローラへ印加する現像バイアス電圧として、直流電圧に交流電圧を重畳した交流現像バイアス電圧が採用される現像装置において、規制部材を兼ねる現像剤荷電部材と現像ローラ間に電位差を発生させるために、該現像剤荷電部材にも、直流電圧に交流電圧を重畳した交流荷電バイアス電圧を印加する現像装置や、
(2) 現像剤荷電部材に印加する交流荷電バイアス電圧を低コストで得るために、ツエナーダイオードを用いて、交流現像バイアス電圧の片側位相( プラス側及びマイナス側のうち片側の位相) のみをオフセットさせた交流荷電バイアス電圧を発生させ、これを現像剤荷電部材に印加する現像装置
を開示している。
【００１０】
図２３（Ａ）は前記の後者現像装置における電圧印加回路例を示している。
図２３（Ａ）に示す回路によると、交流現像バイアス電源ｐｗとして、直流電源Ｖｄｃと矩形波交流電源Ｖａｃとを直列接続してなる電源が採用され、該電源ｐｗの出力端ａ”にツエナダイオードｔｄ”及び抵抗素子ｒ”が直列接続され、出力端ａ”に現像ローラが、ツエナダイオードｔｄ”と抵抗素子ｒ”の間の接点ｂ”に荷電部材が接続されている。      
【００１１】
この回路は、静電潜像を形成する像担持体として負帯電性の感光体を採用し、該感光体上に形成される静電潜像を負帯電性のトナーを用いて反転現像する場合の回路例である。  この回路によると、例えば現像バイアス電源ｐｗにおける直流電源Ｖｄｃの出力電圧を−４００Ｖ、交流電源Ｖａｃのピークツーピーク電圧Ｖｐｐを１８００Ｖ、ツエナダイオードｔｄ”による電圧降下を２００Ｖとすると、現像ローラには、図２３（Ｂ）に実線で示す波形の交流現像バイアス電圧が印加される。荷電部材には、図２３（Ｂ）に破線で示すように、現像ローラに印加される交流現像バイアス電圧と位相が同期し、プラス側の位相において２００Ｖのオフセット電位差を示す交流荷電バイアス電圧が印加される。マイナス側の位相では、現像ローラ及び荷電部材に印加される電圧は略同電位である。
【００１２】
この回路構成によると、交流現像バイアス電源ｐｗにおける交流電源Ｖａｃを利用して、それだけ安価に交流荷電バイアス電圧が得られている。また、交流荷電バイアスをプラス側位相において、現像バイアスに対しオフセットさせる（オフセット電位差を設定する）ことでトナー帯電量を適正化することが試みられている。
【００１３】
いずれにしても、かかる従来現像装置によると、劣化現像剤の帯電レベルを高めることができ、それだけカブリ現象の主原因である、正規帯電極性に帯電する現像剤とは逆極性に帯電する現像剤（逆極性帯電現像剤）を少なくすることができ、ひいては、それだけ高画質の画像を得ることができる。
【００１４】
【特許文献１】特開２００１−１０９２４３号公報
【発明の開示】
【発明が解決しようとする課題】
【００１５】
しかしながら、本発明者の研究によると、現像剤荷電部材と現像ローラ間に電位差を設定する現像装置においては、例えば、帯電能が適正レベルにある初期の現像剤は過剰帯電してしまう。
過剰帯電した現像剤はクーロン力によって現像ローラに強く拘束され、像担持体上の静電潜像へ向かって円滑に移行しなくなり、所望の現像が行えなくなる。さらには、過剰帯電成分によりカブリまでも発生するようになる。
【００１６】
そこで、このような問題を解消しようとして、荷電部材と現像ローラ間の電位差を小さく設定すると、初期現像剤に関するかかる問題は解消できるようになるものの、劣化現像剤によるカブリ発生の解消が困難になる。
【００１７】
また、現像剤の消費に応じて現像剤を補給できる構成の現像装置では、新しい現像剤（初期現像剤）の補給直後は、現像装置内で劣化現像剤と初期現像剤とが混合されることで、一時的に逆極性帯電現像剤が大量に発生し、カブリ現象が顕著になる。
【００１８】
そこで本発明は、像担持体上に形成される静電潜像を現像剤用いて現像する現像装置であって、現像剤を静電潜像の現像のための適切な帯電量に帯電させることができ、それだけ、カブリの発生を抑制しつつ、良好に静電潜像の現像を行える現像装置を提供することを第１の課題とする。
【００１９】
また本発明は、像担持体上に形成される静電潜像を現像剤用いて現像して画像形成する画像形成装置であって、現像剤を静電潜像の現像のための適切な帯電量に帯電させることができ、それだけ、カブリの発生を抑制しつつ、良好に静電潜像の現像を行って高画質の画像を形成できる画像形成装置を提供することを第２の課題とする。
【課題を解決するための手段】
【００２０】
本発明者は前記課題を解決するため研究を重ね、次のことを知見するに至った。
すなわち、前記の図２３（Ａ）に示す回路構成を採用して荷電部材に交流荷電バイアス電圧を印加し、そのとき、ツエナダイオードｔｄ”として降伏電圧の異なるツエナダイオードを種々採用することで、前記のオフセット電位差を様々に変更してみたところ、図２２に示すように、低湿環境下の初期トナー（これから使用するトナー）の場合でも、ある程度使用した、高湿環境下のトナー（使用トナー）の場合でも、(1) トナー帯電量はオフセット電位差に支配されること、(2) 初期トナーは、使用トナーより帯電量が大きくる傾向があり、例えばトナーの適切な帯電量が−２０μＣ／ｇ〜−４０μＣ／ｇである場合に、使用トナーでは、トナー帯電量を−２０μＣ／ｇ〜−４０μＣ／ｇの範囲に収めることができるオフセット電位差でも、初期トナーについては、トナー帯電量が−４０μＣ／ｇより増加してしまうこと、を見い出した。さらに言えば、現像剤の帯電性を左右する要因に応じて、オフセット電位差を制御すれば、適正な現像剤帯電量が得られることを見い出した。
【００２１】
かかる知見に基づき、本発明は、前記第１の課題を解決するため、
像担持体上に形成される静電潜像を現像剤を用いて現像する現像装置であって、
周面上に現像剤を担持して、前記像担持体上の静電潜像を現像する現像領域へ搬送する現像ローラと、
前記現像ローラ周面上に担持され、前記現像領域へ搬送される現像剤に接触して該現像剤に荷電するための荷電部材と、
前記現像ローラに交流現像バイアス電圧を印加する現像バイアス印加装置と、
前記荷電部材に、前記交流現像バイアス電圧と位相が同期する交流荷電バイアス電圧であって、プラス側及びマイナス側のうち少なくとも片側の位相に前記交流現像バイアス電圧に対しオフセット電位差を設けた交流荷電バイアス電圧を印加する荷電バイアス印加装置と、
前記荷電バイアス印加装置を制御する制御部とを備えており、
前記制御部は、前記現像領域へ搬送される現像剤の帯電性を左右する要因のうち少なくとも一つに応じて、前記荷電バイアス印加装置を制御することで前記オフセット電位差を、該現像剤が静電潜像現像のための正規帯電量に帯電するように制御する現像装置を提供する。
【００２２】
ここで、「交流現像バイアス電圧」とは、交流電圧、直流電圧と交流電圧とを併用したバイアス電圧（例えば直流電圧に交流電圧を重畳したバイアス電圧）等である。
また、現像剤の「正規帯電量」とは、適正な帯電量といえるものであるが、それは、或る一定値に固定された量値である必要はなく、例えば−２０μＣ／ｇ〜−４０μＣ／ｇの範囲をもって正規帯電量とされる場合も含まれる。
【００２３】
本発明に係る現像装置は、前記現像ローラ周面上に担持され、前記現像領域へ搬送される現像剤を摩擦帯電させつつ薄層に規制する規制部材を備えていてもよい。或いは、前記荷電部材がかかる規制部材を兼ねていてもよい。
【００２４】
前記交流現像バイアス電圧及び前記交流荷電バイアス電圧のそれぞれの電圧波形については、本発明の課題を解決し得る様々の波形を採用できるが、例えば、矩形波を挙げることができる。すなわち、前記交流現像バイアス電圧及び前記交流荷電バイアス電圧のそれぞれが矩形波電圧である例を挙げることができる。
【００２５】
「現像領域へ搬送される現像剤の帯電性を左右する要因」としては、環境条件、現像装置駆動積算時間、現像回数及び平均印字面積率を例示できる。
ここで、「環境条件」としては、代表例として現像装置周囲の温度及び（又は）湿度、特に湿度を挙げることができる。
【００２６】
「現像装置駆動積算時間」とは、現像装置を駆動した時間の積算値である。
この駆動積算時間は、画像形成を複数枚分連続的に行う場合が多いときより、画像形成を一枚分ずつ間欠的に行う場合が多いときの方が大きくなる。すなわち、駆動積算時間は連続的な画像形成を行う頻度、間欠的な画像形成を行う頻度に左右される。
【００２７】
「現像回数」とは、現像動作が行われた回数、換言すれば画像形成枚数である。
【００２８】
「平均印字面積率」とは、総画像形成ドット数をそのドット数に至るまでの画像形成枚数で割ったものである。
かかる要因のなかでも、現像装置の駆動積算時間、現像回数、平均印字面積率は、現像剤の劣化、従って、現像剤の帯電性を左右しやすい。
【００２９】
現像装置の周囲環境が低湿環境では現像剤は帯電し易く、高湿環境では帯電しにくくなる。現像装置の駆動積算時間や現像回数が増してくると、劣化現像剤が発生し易くなり、そのまま放置しておくと、現像剤帯電量が低下してくる。平均印字面積率は現像剤の消費量に関係する要因であり、平均印字面積率が高いときは現像剤消費量が多く、劣化現像剤は増えにくいが、平均印字面積率が低いと現像剤消費量が少なく、劣化現像剤が増してくる。
【００３０】
そこで、前記制御部の例として、環境条件、現像装置駆動積算時間、現像回数及び平均印字面積率のうち少なくとも一つに応じて、前記荷電バイアス印加装置を制御することで前記オフセット電位差を制御するものを挙げることができる。
【００３１】
また、交流現像バイアス電圧のデューティー比（換言すれば、交流１周期の間に電圧が現像剤の正規帯電極性と同極性側にある時間の割合）が高いとそれだけ現像剤帯電量は大きくなり、低いとそれだけ現像剤帯電量が小さくなる。
そこで、前記制御部は、交流現像バイアスのデューティー比に基づいて前記オフセット電位差を制御するものとしてもよい。
【００３２】
既述のとおり、現像剤の消費に応じて現像剤を補給する場合、新しい現像剤（初期現像剤）の補給直後は、現像装置内で劣化現像剤と初期現像剤とが混合されることで、一時的に逆極性帯電現像剤が大量に発生し、カブリ現象が顕著になる。
そこで、消費される現像剤量に応じて現像剤を補給する現像剤補給装置を備えた現像装置の場合には、前記制御部として、該現像剤補給装置による現像剤補給から予め定めた時間が経過するまでの間、該時間外に比べて前記オフセット電位差を大きく設定する制御部を採用してもよい。
ここで「現像剤補給から」とは、「現像剤補給開始から」、「現像剤補給終了後から」、「現像剤補給開始から終了までの間の予め定めておいた時から」のいずれでもよい。
【００３３】
制御部が採用すべき「予め定めた時間」としては、前記現像剤補給時の環境条件、前記現像剤補給時の現像装置駆動積算時間、前記現像剤補給終了後の現像装置駆動積算時間、前記現像剤補給時の現像回数、前記現像剤補給終了後の現像回数、前記現像剤補給時の平均印字面積率及び前記現像剤補給終了後の平均印字面積率のうち少なくとも一つに基づいて決定される時間を例示できる。
【００３４】
また、現像剤の消費に応じて現像剤を補給する場合、前記制御部は、前記オフセット電位差を、前記現像剤補給時における前記交流現像バイアス電圧（代表的にはその振幅）に応じて制御するものとしてもよい。荷電バイアス値が同じ場合、振幅が大きいと、それだけ荷電部材による現像剤の帯電量が大きくなる。振幅が小さいとそれだけ荷電部材による現像剤の帯電量が小さくなる。
【００３５】
なお、「現像剤補給時」とは、「現像剤補給開始時」、「現像剤補給終了後時」、「現像剤補給開始から終了までの間の予め定めておいた時」のいずれでもよい。
制御部は、以上説明した様々の制御を、適宜二以上を組み合わせて制御を行うものでもよい。
【００３６】
前記現像バイアス印加装置としては、例えば、前記現像ローラへ前記交流現像バイアス電圧を印加する現像バイアス電源を含むものを挙げることができる。
前記荷電バイアス印加装置としては、抵抗素子、ダイオード及び出力電圧可変の荷電用直流電源を含み、該抗素子、ダイオード及び出力電圧可変の荷電用直流電源が、この順序で、前記現像バイアス電源の出力端に直列接続されているものを例示できる。
この荷電バイアス印加装置は、現像バイアス電源を利用したものであり、それだけ安価に提供できる。
【００３７】
かかる現像バイアス印加装置及び荷電バイアス印加装置を採用する場合、前記現像ローラが前記現像バイアス電源の出力端に接続され、前記荷電部材が前記抵抗素子と前記ダイオードとの間に接続される例を挙げることができる。さらに、前記制御部として、該荷電用直流電源の出力電圧を制御することで、前記オフセット電位差を制御するものを例示できる。
【００３８】
また、かかる現像バイアス印加装置及び荷電バイアス印加装置を採用する場合、前記現像バイアス電源の出力端と前記抵抗素子との間にツェナダイオードを挿入接続してもよい。これにより、交流荷電バイアス電圧のプラス側及びマイナス側の双方にオフセット電位差を設定できる。
【００３９】
或いは、例えば、前記現像バイアス電源の出力端に、ツエナダイオード及び第２の抵抗素子をこの順序で直列接続し、現像ローラを該ツエナダイオード及び第２の抵抗素子との間に接続してもよい。
【００４０】
これにより、現像ローラに印加する交流現像バイアス電圧を、回路構成に応じてプラス側又はマイナス側でオフセットさせることができ、それにより、同じ側において、交流荷電バイアス電圧に、交流現像バイアス電圧に対して相対的にオフセット電位差を設定できる。
また、この場合、前記荷電部材が、前記荷電用直流電源とともに前記現像バイアス電源の出力端に直列接続された前記抵抗素子と前記ダイオードとの間に接続される例を挙げることができる。
【００４１】
本発明は、以上説明した、本発明に係る現像装置を搭載した画像形成装置も提供する。  この画像形成装置は、本発明に係る現像装置を搭載してあることで、現像剤を静電潜像の現像のための適切な帯電量に帯電させることができ、それだけ、カブリの発生を抑制しつつ、良好に静電潜像の現像を行って高画質の画像を形成できる。
【発明の効果】
【００４２】
以上説明したように本発明によると、像担持体上に形成される静電潜像を現像剤用いて現像する現像装置であって、現像剤を静電潜像の現像のための適切な帯電量に帯電させることができ、それだけ、カブリの発生を抑制しつつ、良好に静電潜像の現像を行える現像装置を提供することができる。
【００４３】
また本発明によると、像担持体上に形成される静電潜像を現像剤用いて現像して画像形成する画像形成装置であって、現像剤を静電潜像の現像のための適切な帯電量に帯電させることができ、それだけ、カブリの発生を抑制しつつ、良好に静電潜像の現像を行って高画質の画像を形成できる画像形成装置を提供することができる。
【発明を実施するための最良の形態】
【００４４】
図１は本発明に係る現像装置の１例を備えた画像形成装置例を示している。
図１の画像形成装置Ｐ１は一成分現像剤（ここでは負帯電性のトナーｔ）を用いて反転現像によりモノクロ画像を形成するプリンタであり、ドラム型の感光体１００を備えている。感光体１００は負帯電性の感光体である。感光体１００の周囲には帯電装置２００、現像装置３００、転写ローラ４００、クリーナ５００及びイレーサ６００がこの順序で配置されている。感光体１００の下方には画像露光装置７００が、転写ローラ４００の図上右側に定着装置８００が設けられている。
【００４５】
このプリンタによると、次のようにして画像形成される。すなわち、感光体１００が図中時計方向に回転駆動され、該感光体表面が帯電装置２００により一様に負の所定電位（ここでは例えば−５００Ｖに帯電される。その帯電域に画像露光装置７００から原稿画像に応じた露光が施され、それにより感光体１００上に静電潜像が形成される。この静電潜像は、感光体の回転により現像装置３００に臨む現像領域へ移行し、該現像領域において現像装置３００により反転現像され、可視トナー像となる。この可視トナー像は感光体の回転により転写ローラ４００に臨む転写領域へ送られる。
【００４６】
一方、図示省略の記録媒体（記録紙等）供給部から、記録媒体Ｓがタイミングローラ対ＴＲへ搬送される。タイミングローラ対ＴＲは、感光体上のトナー像の移動に合わせて記録媒体Ｓを感光体１００と転写ローラ４００との間（転写領域）へ搬送する。
かくして、感光体１００上のトナー像が転写ローラ４００により記録媒体Ｓに転写される。記録媒体Ｓは、ひきつづき、定着装置８００へ搬送され、転写されたトナー像がそこで記録媒体Ｓ上に加熱定着される。
【００４７】
なお、画像形成装置Ｐ１の各可動部分は図示省略の駆動装置により、所定のタイミングで回転駆動等される。帯電装置２００には感光体表面の帯電にあたり、図示省略の電源から帯電用電圧が印加される。転写ローラ４００にはトナー像の転写にあたり、図示省略の電源から転写電圧が印加される。
現像装置３００について以下にさらに詳述する。
【００４８】
図２に示すように、現像装置３００は、現像ローラ３０１を備えている。現像ローラ３０１は現像装置ケース３０２に回転可能に支持されて、一部がケース３０２から外側へ露出し、感光体１００に僅かな間隙をおいて臨んでいる。ケース３０１内には現像ローラ３０１に現像剤供給ローラ３０３が臨設されており、その背後に現像剤攪拌部材３０４が配置されている。現像剤供給ローラ３０３及び現像剤攪拌部材３０４はいずれもケース３０２に回転可能に支持されている。
【００４９】
ケース３０２内には、さらに、ケース３０２に片持ち支持されて現像ローラ３０１に圧接されたブレード状の現像剤規制部材３０５と、ケース３０２に片持ち支持されて現像ローラ３０１に、規制部材３０５よりは弱く圧接されたブレード状の荷電部材３０６が設けられている。
【００５０】
現像ローラ３０１の上側部分とケース３０２との間はシール部材３０７が配置されて現像剤漏れが防止されており、現像ローラ３０１の下側部分とケース３０２との間からの現像剤漏れは、前記現像剤規制部材３０５にて防止されている。
また、ケース３０２にはトナー補給装置９００が連設されており、トナー消費量に応じて、ここから新しいトナーを現像装置ケース内へ補給できる。
【００５１】
現像ローラ３０１には現像バイアス印加装置Ｂ１が接続されており、荷電部材３０６には荷電バイアス印加装置Ｂ２が接続されている。
現像バイアス印加装置Ｂ１は、本例では、出力電圧が−４００Ｖの直流電源ＤＣ１と、ピークツーピーク電圧Ｖｐｐが１８００Ｖ、デューティ４０％（デューティー比２／３）の矩形波電圧を出力する交流電源ＡＣ１とを直列接続した現像バイアス電源ＰＷ１からなっている。この電源ＰＷ１は、感光体上の静電潜像の現像にあたり、現像ローラ３０１に図３に実線で示す矩形波形の交流現像バイアス電圧Ｖ１を印加し、現像ローラ上のトナーｔを感光体１００上の静電潜像へ飛翔させる。なお、現像ローラ３０１は、現像バイアス等如何によっては、感光体１００に接触させて配置しても構わない。
【００５２】
荷電バイアス印加装置Ｂ２は、回路構成を簡素化、低価格化するため現像バイアス電源ＰＷ１を利用しており、電源ＰＷ１の、現像ローラ３０１への出力端（現像ローラ接点）ａに順次直列接続された抵抗素子ｒ、ダイオードｄ及び出力可変の荷電用直流電源ＤＣ２を含んでいる。抵抗素子ｒとダイオードｄとの間に荷電部材３０６への出力端（荷電部材接点）ｂを設定してある。
電源ＤＣ２の出力電圧は、後述するように、制御部ＣＴにより制御される。
【００５３】
荷電バイアス印加装置Ｂ２は、感光体上の静電潜像の現像にあたり、図３に破線で示す矩形波の交流荷電バイアス電圧Ｖ２又はＶ２’を出力し、これを荷電部材３０６に印加する。
図３には、現像バイアス電圧Ｖ１の波形と荷電バイアス電圧Ｖ２（Ｖ２’）の波形とを相互にずらして示してあるが、実際には、電圧Ｖ２（Ｖ２’）は電圧Ｖ１と位相が同期している。しかし、荷電バイアス電圧Ｖ２（Ｖ２’）は、プラス側の位相に（プラス側の波形において）現像バイアス電圧Ｖ１に対しオフセット電位差Ｖｄを示す。
【００５４】
図３に示す例では、制御部ＣＴにより荷電用直流電源ＤＣ２の出力電圧が＋４００Ｖに制御されるとき、交流荷電バイアス電圧はＶ２となるとともに、オフセット電位差Ｖｄは１００Ｖとなる。＋２００Ｖに制御されるとき交流荷電バイアス電圧はＶ２’となるとともに、オセット電位差Ｖｄは３００Ｖとなる。
【００５５】
さらに説明すると、荷電用直流電源ＤＣ２の出力を＋４００Ｖに制御すると、現像バイアス電圧Ｖ１のプラス側の位相においては、ダイオードｄを電流が流れ、抵抗ｒによって電圧がオフセット（本例では１００Ｖオフセット）される。かくして、交流荷電バイアス電圧のプラス側は＋４００Ｖとなり、オフセット電位差Ｖｄは１００Ｖとなる。
一方、現像バイアス電圧Ｖ１のマイナス側の位相においては、ダイオードｄに電流が流れず、抵抗ｒを流れる電流は非常に微弱なプロセス電流のみであり、現像バイアス電圧Ｖ１と荷電バイアス電圧Ｖ２は略同電位となる。
【００５６】
同様に、荷電用直流電源ＤＣ２の出力を＋２００Ｖに制御すると、プラス側位相においては、現像バイアス電圧Ｖ１（＋５００Ｖ）に対し、交流荷電バイアス電圧のプラス側電圧は２００Ｖとなり、マイナス側へ３００Ｖオフセットされる（オフセット電位差３００Ｖ）。
【００５７】
このように、制御部ＣＴにより荷電用直流電源ＤＣ２の出力を制御することで、オフセット電位差Ｖｄを制御することができる。
さらに言えば、交流荷電バイアス電圧Ｖ２のように、プラス側において荷電バイアスを大きくして、オフセット電位差Ｖｄを小さくすると、それだけ、荷電部材３０６による現像ローラ３０１上のトナーの帯電量はそれだけ小さくなり、交流荷電バイアス電圧Ｖ２’のように、プラス側において荷電バイアスを小さくして、オフセット電位差Ｖｄを大きくすると、それだけ、荷電部材３０６による現像ローラ３０１上のトナーの帯電量はそれだけ増加する。
【００５８】
後ほど説明する、制御部ＣＴによるオフセット電位差の制御（トナー帯電量の制御）は、かかる２段階で行っている。しかし、必要に応じて、３段階以上で行っても構わない。      
【００５９】
以上説明した現像装置３００では、現像バイアス印加装置Ｂ１及び荷電バイアス印加装置Ｂ２として、図２に示すものを採用したが、図４に示すように、図２の回路において、現像バイアス電源ＰＷ１の出力端ａと前記抵抗素子ｒとの間にツェナダイオードｔｄを挿入接続してもよい。これにより、図５に示すように、交流荷電バイアス電圧Ｖ２（Ｖ２’）のプラス側及びマイナス側の双方にオフセット電位差を設定できる。
【００６０】
或いは、図６に示すように、現像バイアス電源ＰＷ１の出力端ａに、ツエナダイオードｔｄ’及び第２の抵抗素子ｒ’をこの順序で直列接続し、現像ローラ３０１を該ツエナダイオードｔｄ’及び第２の抵抗素子ｒ’との間に接続してもよい。
【００６１】
これにより、図７に示すように、現像ローラ３０１に印加する交流現像バイアス電圧Ｖ１を、マイナス側でオフセットさせることができ、それにより、マイナス側でも、交流荷電バイアス電圧に、交流現像バイアス電圧に対して相対的にオフセット電位差を設定できる。
【００６２】
以上説明した現像装置３００では、トナー規制部材３０５と荷電部材３０６とを別々に設けたが、図８に示すように、荷電部材を兼ねるトナー規制部材３０５’を設け、これに交流荷電バイアス電圧を印加するようにしても構わない。
図８に示す現像装置３００’は、荷電部材を兼ねるトナー規制部材３０５’を設けた点を除けば、図２に示す現像装置３００と実質上同構造である。図２の装置における部分、部品と同じものについては、図２と同じ参照符号を付してある。図８の現像装置３００’では、現像ローラ３０１の下側部分とケース３０２との間は規制部材３０５’で閉じられている。
【００６３】
以上説明した画像形成装置Ｐ１はモノクロ画像を形成する装置であったが、本発明に係る現像装置はカラー画像形成装置の現像装置にも適用できる。例えば、図９に示すタンデム型のフルカラー画像形成装置Ｐ２の各画像形成部の現像装置１４や図１０に示す４サイクル型のフルカラー画像形成装置Ｐ３の現像装置１４Ｙ等にも適用可能である。
【００６４】
ここで図９、図１０の画像形成装置Ｐ２、Ｐ３について説明しておく。
図９の画像形成装置Ｐ２は、駆動ローラ３１とこれに対向するローラ３２に巻き掛けられた無端転写ベルト４を有している。転写ベルト４は図示省略の駆動手段により回転駆動される駆動ローラ３１により図中反時計方向（図中矢印方向）に回転駆動される。対向ローラ３２には転写ベルト４上の２次転写残トナー等を清掃するクリーナＣＬが臨んでおり、駆動ローラ３１には２次転写ローラ５が臨んでいる。２次転写ローラ５の上方には定着装置６が設置されている。
【００６５】
ローラ３１、３２の間には転写ベルト４に沿って、ローラ３２から３１に向けて、イエロー画像形成部Ｙ、マゼンタ画像形成部Ｍ、シアン画像形成部Ｃ及びブラック画像形成部Ｋがこの順序で配置されている。
各画像形成部は、静電潜像担持体としてドラム型の感光体１１を備えており、該感光体の周囲に帯電装置１２、画像露光装置１３、現像装置１４、１次転写ローラ２及び感光体上の１次転写残トナー等を除去するクリーナ１５がこの順序で配置されている。１次転写ローラ２は転写ベルト４を間にして感光体１１に対向している。
【００６６】
各画像形成部における現像装置１４は、例えば、負帯電性トナーを採用するもので、感光体１１上に形成される静電潜像を反転現像する。
【００６７】
この画像形成装置によると、次のように画像形成がなされる。
先ず、最終的に形成されるべき画像に応じて、画像形成部Ｙ、Ｍ、Ｃ及びＫのうち少なくとも一つにおいて画像形成される。
画像形成部Ｙ、Ｍ、Ｃ及びＫのすべてを用いてフルカラー画像を形成する場合を例にとると、先ず、イエロー画像形成部Ｙにおいてイエロートナー像が形成され、これが転写ベルト４に１次転写される。
【００６８】
すなわち、イエロー画像形成部Ｙにおいて、感光体１１が図中時計方向に回転駆動され、帯電装置１２にて感光体１１表面が一様に所定電位に帯電せしめられ、該帯電域に画像露光装置１３からイエロー画像用の画像露光が施され、感光体１１上にイエロー用静電潜像が形成される。この静電潜像はイエロートナーを有する現像装置１４の現像バイアスが印加された現像ローラ１４１にて現像されて可視イエロートナー像となり、該トナー像が１次転写ローラ２にて転写ベルト４上に転写される。
【００６９】
同様にして、マゼンタ画像形成部Ｍにおいてマゼンタトナー像が形成されて転写ベルト４に転写され、シアン画像形成部Ｃにおいてシアントナー像が形成されて転写ベルト４に転写され、ブラック画像形成部Ｋにおいてブラックトナー像が形成されて転写ベルト４に転写される。
【００７０】
イエロー、マゼンタ、シアン、ブラックのトナー像はこれらが中間転写ベルト４上に重ねて転写されるタイミング形成される。
かくして転写ベルト４上に形成された多重トナー像は転写ベルト４の回動により２次転写ローラ５へ向け移動する。
【００７１】
一方、記録媒体Ｓが図示省略の記録媒体供給部から引き出され、引き続きタイミングローラ対７１、７２により、ベルト４上の多重トナー像と同期をとって転写ベルト４と２次転写ローラ５との間に供給され、２次転写ローラ５にて該多重トナー像が記録媒体Ｓ上に２次転写される。その後記録媒体Ｓは定着装置６に通され、そこで多重トナー像が加熱加圧下に記録媒体Ｓに定着されて所定のカラー画像が記録媒体Ｓ上に形成される。さらにその後、記録媒体Ｓは機外へ排出される。
【００７２】
各画像形成部において１次転写後感光体１１上に残留する１次転写残トナー等はクリーナ１５により清掃除去される。また、２次転写後、転写ベルト４上に残留する２次転写残トナー等はクリーナＣＬにより清掃、回収される。
【００７３】
かかる各画像形成部の現像装置１４として、本発明に係る現像装置を採用できる。交流現像バイアス電圧、交流荷電バイアス電圧、オフセット電位差等は、必要に応じ、各画像形成部ごとに定めればよい。
【００７４】
図１０に示す画像形成装置Ｐ３は、ドラム型感光体１１０を有しており、その周囲には帯電装置１２０、イエロー現像装置１４Ｙ、マゼンタ現像装置１４Ｍ、シアン現像装置１４Ｃ及びブラック現像装置１４Ｋ、さらに、転写ローラ２０及びクリーナ１５０がこの順序で配置されている。
【００７５】
感光体１１０の上方には画像露光装置１３０が配置されており、下方には無端転写ベルト４０が配置されている。無端転写ベルト４０は、駆動ローラ３１０、従動ローラ３２０及び３３０に巻き掛けられている。前記の転写ローラ２０は転写ベルト４０を間にして感光体１１０に対向配置されている。
駆動ローラ３１０の部分で転写ベルト４０に２次転写ローラ５０が臨設されており、その上方に定着装置６０が配置されている。
【００７６】
この画像形成装置Ｐ３によると、四つの現像装置のうち少なくとも一つを用いて画像形成できる。四つの現像装置すべを用いてフルカラー画像を形成する場合を例にとると、感光体１１０が図中時計方向に回転駆動され、帯電装置１２０にて感光体１１０表面が一様に所定電位に帯電せしめられ、該帯電域に画像露光装置１３０からイエロー画像用の画像露光が施され、感光体１１０上にイエロー用静電潜像が形成される。この静電潜像はイエロートナーを有する現像装置１４Ｙの現像バイアスが印加された現像ローラにて現像されて可視イエロートナー像となり、該トナー像が１次転写ローラ２０にて転写ベルト４０上に転写される。
【００７７】
同様にして、マゼンタ現像装置１４Ｍを用いてマゼンタトナー像が形成されて転写ベルト４０に転写され、シアン現像装置１４Ｃを用いてシアントナー像が形成されて転写ベルト４０に転写され、ブラック現像装置１４Ｋを用いてブラックトナー像が形成されて転写ベルト４０に転写される。
【００７８】
イエロー、マゼンタ、シアン、ブラックのトナー像はこれらが中間転写ベルト４０上に重ねて転写されるタイミング形成される。
かくして転写ベルト４０上に形成された多重トナー像は転写ベルト４０の回動により２次転写ローラ５０へ向け移動する。
【００７９】
一方、記録媒体Ｓが図示省略の記録媒体供給部から引き出され、引き続きタイミングローラ対７１０、７２０により、ベルト４０上の多重トナー像と同期をとって転写ベルト４０と２次転写ローラ５０との間に供給され、２次転写ローラ５０にて該多重トナー像が記録媒体Ｓ上に２次転写される。その後記録媒体Ｓは定着装置６０に通され、そこで多重トナー像が加熱加圧下に記録媒体Ｓに定着されて所定のカラー画像が記録媒体Ｓ上に形成される。さらにその後、記録媒体Ｓは機外へ排出される。
【００８０】
各色トナー像形成において１次転写後感光体１１０上に残留する１次転写残トナー等はクリーナ１５０により清掃除去される。また、２次転写後、転写ベルト４０上に残留する２次転写残トナー等は、２次転写終了後にベルト４０に当接されるクリーナＣＬ’により清掃される。
【００８１】
かかる各色の現像装置として、本発明に係る現像装置を採用できる。交流現像バイアス電圧、交流荷電バイアス電圧、オフセット電位差等は、必要に応じ、各画像形成部ごとに定めればよい。
【００８２】
次に、図２、図４、図６及び図８に示される制御部ＣＴによる前記オフセット電位差（トナー帯電量）の制御例について説明する。なお、以下に説明する制御は、必要に応じ、二以上を組み合わせることも可能である。
（１）現像装置周囲の環境、特に相対湿度に基づく制御（図１１参照）
画像形成装置に設けた図示省略の温湿度検出部から相対湿度を読み出し、相対湿度が、予め実験等により定めておいた所定値以下であると、荷電バイアス値（交流荷電バイアス電圧のうちプラス側位相におけるバイアス値）を「大」に設定し、オフセット電位差Ｖｄを「小」に設定する。相対湿度が所定値より大きいと、荷電バイアス値を「小」に設定し、オフセット電位差Ｖｄを「大」に設定する。これにより、現像に供される、荷電部材３０６によるトナーの帯電量を正規の帯電量にする。
なお、荷電バイアス値「大」は本例では前記の４００Ｖであり、そのときのオフセット電位差Ｖｄは１００Ｖであり、荷電バイアス値「小」は本例では前記の２００Ｖであり、そのときのオフセット電位差Ｖｄは３００Ｖである。この点はこのあと説明する制御においても同様である。
【００８３】
（２）現像装置の駆動積算時間に基づく制御（図１２参照）
画像形成装置に設けた図示省略の現像装置駆動積算時間検出部から駆動積算時間を読み出し、該積算時間が、予め実験等により定めておいた所定値以下であると、荷電バイアス値を「大」に設定し、オフセット電位差Ｖｄを「小」に設定する。積算時間が所定値より大きいと、荷電バイアス値を「小」に設定し、オフセット電位差Ｖｄを「大」に設定する。これにより、現像に供される、荷電部材３０６によるトナーの帯電量を正規の帯電量にする。
【００８４】
（３）現像装置による現像回数に基づく制御（図１３参照）
画像形成装置に設けた図示省略の現像回数検出部から現像回数を読み出し、該現像回数が、予め実験等により定めておいた所定値以下であると、荷電バイアス値を「大」に設定し、オフセット電位差Ｖｄを「小」に設定する。現像回数が所定値より大きいと、荷電バイアス値を「小」に設定し、オフセット電位差Ｖｄを「大」に設定する。これにより、現像に供される、荷電部材３０６によるトナーの帯電量を正規の帯電量にする。
【００８５】
（４）平均印字面積率に基づく制御（図１４参照）
画像形成装置に設けた図示省略の平均印字面積率検出部から該面積率を読み出し、該面積率数が、予め実験等により定めておいた所定値以上であると、荷電バイアス値を「大」に設定し、オフセット電位差Ｖｄを「小」に設定する。面積率が所定値より小さいと、荷電バイアス値を「小」に設定し、オフセット電位差Ｖｄを「大」に設定する。これにより、現像に供される、荷電部材３０６によるトナーの帯電量を正規の帯電量にする。
【００８６】
（５）交流現像バイアスのデューティー比に基づく制御（図１５参照）
画像形成装置に設けた図示省略のデューティー比検出部から該デューティー比を読み出し、該デューティー比が、予め実験等により定めておいた所定値以上であると、荷電バイアス値を「大」に設定し、オフセット電位差Ｖｄを「小」に設定する。デューティー比が所定値より小さいと、荷電バイアス値を「小」に設定し、オフセット電位差Ｖｄを「大」に設定する。これにより、現像に供される、荷電部材３０６によるトナーの帯電量を正規の帯電量にする。
【００８７】
（６）トナー補給に基づく制御（図１６参照）
現像装置に設けた図示省略のトナー残量検出部にトナー残量を検出させ、検出されたトナー残量が、予め実験等により定めた所定値以下であると、トナー補給装置９００にトナー補給を開始させ、トナー補給装置９００からトナー補給終了が知らされると、荷電バイアス値を「小」に設定し、オフセット電位差Ｖｄを「大」に設定する。さらにトナー補給終了後、予め実験等により定めておいた所定時間が経過すると、荷電バイアス値を元に戻す（本例では、荷電バイアス値を「大」に設定し、オフセット電位差Ｖｄを「小」に設定する）。これにより、現像に供される、荷電部材３０６によるトナーの帯電量を正規の帯電量にする。
【００８８】
（７）トナー補給及び相対湿度に基づく制御（図１７参照）
トナー残量検出部にトナー残量を検出させ、検出されたトナー残量が、予め実験等により定めた所定値以下であると、トナー補給装置９００にトナー補給を開始させ、トナー補給装置９００からトナー補給終了が知らされると、荷電バイアス値を「小」に設定し、オフセット電位差Ｖｄを「大」に設定する。
次いで、相対湿度を読み込み、相対湿度が、予め実験等により定めた所定値以下であると、トナー補給終了後、予め実験等により定めておいた所定時間Ｔ１の経過後に荷電バイアス値を元に戻す（本例では、荷電バイアス値を「大」に設定し、オフセット電位差Ｖｄを「小」に設定する）。
相対湿度が所定値より大きいときは、トナー補給終了後、予め実験等により定めておいた所定時間Ｔ２（＞Ｔ１）の経過後に荷電バイアス値を元に戻す。
これにより、現像に供される、荷電部材３０６によるトナーの帯電量を正規の帯電量にする。
【００８９】
（８）トナー補給及び現像装置駆動積算時間（又はトナー補給終了後の現像装置駆動積算時間）に基づく制御（図１８参照）
トナー残量検出部にトナー残量を検出させ、検出されたトナー残量が、予め実験等により定めた所定値以下であると、トナー補給装置９００にトナー補給を開始させ、トナー補給装置９００からトナー補給終了が知らされると、荷電バイアス値を「小」に設定し、オフセット電位差Ｖｄを「大」に設定する。
次いで、図示省略の現像装置駆動積算時間検出部から駆動積算時間（又はトナー補給終了後の現像装置駆動積算時間）を読み出し、該積算時間が、予め実験等により定めた所定値以下であると、トナー補給終了後、予め実験等により定めておいた所定時間Ｔ１の経過後に荷電バイアス値を元に戻す（本例では、荷電バイアス値を「大」に設定し、オフセット電位差Ｖｄを「小」に設定する）。
積算時間が所定値より大きいときは、トナー補給終了後、予め実験等により定めておいた所定時間Ｔ２（＞Ｔ１）の経過後に荷電バイアス値を元に戻す。
これにより、現像に供される、荷電部材３０６によるトナーの帯電量を正規の帯電量にする。
【００９０】
（９）トナー補給及び現像回数（又はトナー補給終了後の現像回数）に基づく制御（図１９参照）
トナー残量検出部にトナー残量を検出させ、検出されたトナー残量が、予め実験等により定めた所定値以下であると、トナー補給装置９００にトナー補給を開始させ、トナー補給装置９００からトナー補給終了が知らされると、荷電バイアス値を「小」に設定し、オフセット電位差Ｖｄを「大」に設定する。
次いで、図示省略の現像回数検出部から現像回数（又はトナー補給終了後の現像回数）を読み出し、該現像回数が、予め実験等により定めた所定値以下であると、トナー補給終了後、予め実験等により定めておいた所定時間Ｔ１の経過後に荷電バイアス値を元に戻す（本例では、荷電バイアス値を「大」に設定し、オフセット電位差Ｖｄを「小」に設定する）。
現像回数が所定値より大きいときは、トナー補給終了後、予め実験等により定めておいた所定時間Ｔ２（＞Ｔ１）の経過後に荷電バイアス値を元に戻す。
これにより、現像に供される、荷電部材３０６によるトナーの帯電量を正規の帯電量にする。
【００９１】
（１０）トナー補給及び平均印字面積率（又はトナー補給終了後の平均印字面積率）に基づく制御（図２０参照）
トナー残量検出部にトナー残量を検出させ、検出されたトナー残量が、予め実験等により定めた所定値以下であると、トナー補給装置９００にトナー補給を開始させ、トナー補給装置９００からトナー補給終了が知らされると、荷電バイアス値を「小」に設定し、オフセット電位差Ｖｄを「大」に設定する。
次いで、図示省略の平均印字面積率検出部から平均印字面積率（又はトナー補給終了後の平均印字面積率）を読み出し、該面積率が、予め実験等により定めた所定値以上であると、トナー補給終了後、予め実験等により定めておいた所定時間Ｔ１の経過後に荷電バイアス値を元に戻す（本例では、荷電バイアス値を「大」に設定し、オフセット電位差Ｖｄを「小」に設定する）。
面積率数が所定値より小さいときは、トナー補給終了後、予め実験等により定めておいた所定時間Ｔ２（＞Ｔ１）の経過後に荷電バイアス値を元に戻す。
これにより、現像に供される、荷電部材３０６によるトナーの帯電量を正規の帯電量にする。
【００９２】
（１１）トナー補給及び交流現像バイアスの振幅に基づく制御（図２１参照）
トナー残量検出部にトナー残量を検出させ、検出されたトナー残量が、予め実験等により定めた所定値以下であると、トナー補給装置９００にトナー補給を開始させ、トナー補給装置９００からトナー補給終了が知らされると、図示省略の交流現像バイアス検出部から交流現像バイアスの振幅を読み出し、該振幅が、実験等により予め定めた所定値以上であると、荷電バイアス値を「大」に設定し、オフセット電位差Ｖｄを「小」に設定する。  該振幅が所定値より小さいと、荷電バイアス値を「小」に設定し、オフセット電位差Ｖｄを「大」に設定する。
これにより、現像に供される、荷電部材３０６によるトナーの帯電量を正規の帯電量にする。
【産業上の利用可能性】
【００９３】
本発明は、像担持体上に形成される静電潜像の現像に供する現像剤の帯電量を適正化すること、ひいては、高画質の画像を形成することに利用できる。
【図面の簡単な説明】
【００９４】
【図１】本発明に係る画像形成装置の１例の構成の概略を示す図である。
【図２】図１に示す画像形成装置における現像装置構成を回路構成を含めて示す図である。
【図３】図２の現像装置回路による交流現像バイアス及び交流荷電バイアスの波形を示す図である。
【図４】現像装置回路の他の例を示す図である。
【図５】図４の現像装置回路による交流現像バイアス及び交流荷電バイアスの波形を示す図である。
【図６】現像装置回路のさらに他の例を示す図である。
【図７】図６の現像装置回路による交流現像バイアス及び交流荷電バイアスの波形を示す図である。
【図８】現像装置構成の他の例を示す図である。
【図９】本発明に係る画像形成装置の他の例の構成の概略を示す図である。
【図１０】本発明に係る画像形成装置のさらに他の例の構成の概略を示す図である。
【図１１】オフセット電位差制御（トナー帯電量制御）の１例を示すフローチャートである。
【図１２】オフセット電位差制御（トナー帯電量制御）の他の例を示すフローチャートである。
【図１３】オフセット電位差制御（トナー帯電量制御）のさらに他の例を示すフローチャートである。
【図１４】オフセット電位差制御（トナー帯電量制御）のさらに他の例を示すフローチャートである。
【図１５】オフセット電位差制御（トナー帯電量制御）のさらに他の例を示すフローチャートである。
【図１６】オフセット電位差制御（トナー帯電量制御）のさらに他の例を示すフローチャートである。
【図１７】オフセット電位差制御（トナー帯電量制御）のさらに他の例を示すフローチャートである。
【図１８】オフセット電位差制御（トナー帯電量制御）のさらに他の例を示すフローチャートである。
【図１９】オフセット電位差制御（トナー帯電量制御）のさらに他の例を示すフローチャートである。
【図２０】オフセット電位差制御（トナー帯電量制御）のさらに他の例を示すフローチャートである。
【図２１】オフセット電位差制御（トナー帯電量制御）のさらに他の例を示すフローチャートである。
【図２２】オフセット電位差とトナー帯電量の関係を示す図である。
【図２３】図（Ａ）は従来の現像装置回路例を示す図であり、図（Ｂ）は該回路によるバイアス波形を示す図である。
【符号の説明】
【００９５】
Ｐ１  画像形成装置
ｔ    トナー
１００  感光体
２００  帯電装置
３００  現像装置
３０１  現像ローラ
３０２  現像装置ケース
３０３  現像剤供給ローラ
３０４  現像剤攪拌部材
３０５  現像剤規制部材
３０６  荷電部材
３０７  シール部材
Ｂ１  現像バイアス印加装置
Ｂ２  荷電バイアス印加装置
ＤＣ１  直流電源
ＡＣ１  交流電源
ＰＷ１  現像バイアス電源
Ｖ１  交流現像バイアス電圧
Ｖ２、Ｖ２’  交流荷電バイアス電圧
Ｖｄ  オフセット電位差
ａ  電源ＰＷ１の出力端
ｒ  抵抗素子
ｄ  ダイオード
ＤＣ２  荷電用直流電源
ｂ  荷電部材への出力端（荷電部材接点）
ＣＴ  制御部
ｔ  トナー
４００  転写ローラ
５００  クリーナ
６００  イレーサ
７００  画像露光装置
８００  定着装置
９００  トナー補給装置
ＴＲ  タイミングローラ対
Ｓ  記録媒体
ｔｄ、ｔｄ’  ツエナダイオード
ｒ’  抵抗素子
３０５’規制部材を兼ねる荷電部材
３０７’シール部材
Ｐ２  画像形成装置
Ｙ  イエロー画像形成部
Ｍ  マゼンタ画像形成部
Ｃ  シアン画像形成部
Ｋ  ブラック画像形成部
１１  感光体
１２  帯電装置
１３  画像露光装置
１４  現像装置
１４１  現像ローラ
１５  クリーナ
２  １次転写ローラ
３１  駆動ローラ
３２  対向ローラ
４    無端転写ベルト
ＣＬ  クリーナ
５  ２次転写ローラ
６  定着装置
Ｐ３  画像形成装置
１１０  感光体
１２０  帯電装置
１４Ｙ  イエロー現像装置
１４Ｍ  マゼンタ現像装置
１４Ｃ  シアン現像装置
１４Ｋ  ブラック現像装置
２０  転写ローラ
１５０  クリーナ
１３０  画像露光装置
４０  無端転写ベルト
３１０  駆動ローラ
３２０、３３０  従動ローラ
５０  ２次転写ローラ
６０  定着装置
【図１】
2006301420.tif 000003
【図２】
2006301420.tif 000004
【図３】
2006301420.tif 000005
【図４】
2006301420.tif 000006
【図５】
2006301420.tif 000007
【図６】
2006301420.tif 000008
【図７】
2006301420.tif 000009
【図８】
2006301420.tif 000010
【図９】
2006301420.tif 000011
【図１０】
2006301420.tif 000012
【図１１】
2006301420.tif 000013
【図１２】
2006301420.tif 000014
【図１３】
2006301420.tif 000015
【図１４】
2006301420.tif 000016
【図１５】
2006301420.tif 000017
【図１６】
2006301420.tif 000018
【図１７】
2006301420.tif 000019
【図１８】
2006301420.tif 000020
【図１９】
2006301420.tif 000021
【図２０】
2006301420.tif 000022
【図２１】
2006301420.tif 000023
【図２２】
2006301420.tif 000024
【図２３】
2006301420.tif 000025